(57)【要約】【課題】  簡易な構造で引戸のガラス板に遮熱又は遮視の機能を付加することができ、機能シートを取り付けた場合でも、引戸の開閉操作に支障をきたすことがなく、さらに軽量で且つ低コストの引き違い戸を提供すること。【解決手段】  造営物の壁面に設けた窓開口部に、矩形状の戸枠２にガラス板３を嵌合してなる引戸１が引き違い状に設置された引き違い戸である。遮熱又は遮視の少なくとも一方の機能を有する機能シート４と、該機能シート４を戸枠２の厚み寸法範囲Ｓ内に納まるようにして該戸枠２に嵌め込まれたガラス板３表面に沿って着脱可能に取り付けるための取付手段とを具備している。【選択図】        図１
2007056634.tif 000002
【特許請求の範囲】
【請求項１】
造営物の壁面に設けた窓開口部に、矩形状の戸枠にガラス板を嵌合してなる引戸が引き違い状に設置された引き違い戸において、遮熱又は遮視の少なくとも一方の機能を有する機能シートと、該機能シートを戸枠の厚み寸法範囲内に納まるようにして該戸枠に嵌め込まれたガラス板表面に沿って着脱可能に取り付けるための取付手段とを具備することを特徴とする引き違い戸。
【請求項２】
前記ガラス板の外周縁が、戸枠に形成されたガラス受溝内に嵌入されるパッキン材にて保持され、前記取付手段は、機能シートの四辺部にそれぞれ取り付けられる複数の止め具と、ガラス板の外周部側に取り付けられる複数の取付金具とからなり、該取付金具の一端側にパッキン材とガラス板表面との間隙に抜き差し可能に差し込まれる差込部を設けると共に、他端側に機能シートの止め具が取り外し可能に掛け止めされる引掛部を設けてなることを特徴とする請求項１記載の引き違い戸。
【請求項３】
前記機能シートを可撓性材料で形成したことを特徴とする請求項１又は請求項２記載の引き違い戸。
【発明の詳細な説明】
【技術分野】
【０００１】
本発明は、引き違い戸に関し、詳しくはガラス板に遮熱又は遮視の機能を付加するための技術に関するものである。
【背景技術】
【０００２】
一般に窓ガラスに遮熱や遮視機能を付与する商品としては、屋内空間の光や熱環境をコントロールするルーバーやブラインド等が広く普及しているが、風によりぱたついたり、見栄えが悪いといった問題がある。
【０００３】
そこで、ブラインドフィルムとこれを巻き取るロール部とをペアガラスの中空層に収納して、該ロール部を駆動機構により外部から回転操作できるようにし、夏場にはブラインドフィルムをロール部から引き出して中空層全体を遮蔽することで太陽熱により室内の温度が上昇しないように保ち、冬場にはブラインドフィルムをロール部に巻き取って中空層全体を開放することで太陽熱により室内の温度が下降しないように保つようにしたペアガラス構造が提案されている（例えば、特許文献１、特許文献２参照）。
【０００４】
しかしながら前記特許文献１、２に示された従来例では、ペアガラスの厚さが厚くなり、重量的にも重くなり、このため、採光や換気のために開閉する際に重く感じるといった問題、さらには高コストを招くといった問題がある。
【０００５】
他の従来例として、断熱シートでガラス板全面を覆うと共に、断熱シートの外周部を戸枠に吸盤等で取り付けたものが知られている（例えば、特許文献３参照）。
【０００６】
しかしながら、前記特許文献３に示された従来例では、断熱シートが戸枠の外側にはみ出すようにして取り付けられるため、仮りに引き違い戸に適用しようとした場合、戸枠からはみ出した断熱シートが引っ掛って開閉できなくなるため、引き違い戸には不適であった。
【特許文献１】特開平５−２３１０７７号公報
【特許文献２】特開平９−２５６７５３号公報
【特許文献３】特開２０００−５０４７号公報
【発明の開示】
【発明が解決しようとする課題】
【０００７】
本発明は前記の従来の問題点に鑑みて発明したものであって、簡易な構造で引戸のガラス板に遮熱又は遮視の機能を付加することができ、しかも機能シートを取り付けた場合でも引戸の開閉操作に支障をきたすことがなく、そのうえ軽量で且つ低コストの引き違い戸を提供することを課題とするものである。
【課題を解決するための手段】
【０００８】
前記課題を解決するために本発明にあっては、造営物の壁面に設けた窓開口部に、矩形状の戸枠２にガラス板３を嵌合してなる引戸１が引き違い状に設置された引き違い戸において、遮熱又は遮視の少なくとも一方の機能を有する機能シート４と、該機能シート４を戸枠２の厚み寸法範囲Ｓ内に納まるようにして該戸枠２に嵌め込まれたガラス板３表面に沿って着脱可能に取り付けるための取付手段５とを具備することを特徴としている。
【０００９】
このような構成とすることで、外部との遮断機能及び採光機能しか持たないガラス板３に、機能シート４により遮熱或いは遮視の機能を選択的に付加することができる。例えば遮熱機能の機能シート４を使用した場合は、夏場には室内への太陽熱の入射を阻止でき、冷房負荷を軽減できるようになり、一方、冬場にはガラス板３から取り外しすることで、太陽熱を室内に十分に採り込んで暖房負荷を軽減できるようになる。しかも、ガラス板３の構造を従来のブラインドフィルム内蔵型ガラスよりも薄く且つ軽量化、低コスト化できるうえに、機能シート４が戸枠２からはみ出すことがないため、引戸１の開閉操作をスムーズに行なえるものである。
【００１０】
また、前記ガラス板３の外周縁が、戸枠２に形成されたガラス受溝６内に嵌入されるパッキン材５Ｂにて保持され、前記取付手段５は、機能シート４の四辺部にそれぞれ取り付けられる複数の止め具５Ｃと、ガラス板３の外周部側に取り付けられる複数の取付金具５Ａとからなり、該取付金具５Ａの一端側にパッキン材５Ｂとガラス板３表面との間隙Ｇに抜き差し可能に差し込まれる差込部７を設けると共に、他端側に機能シート４の止め具５Ｃが取り外し可能に掛け止めされる引掛部９を設けてなるのが好ましく、この場合、取付金具５Ａの一端側の差込部７をパッキン材５Ｂとガラス板３表面との間隙Ｇに差し込み、取付金具５Ａの他端側の引掛部９に機能シート４の止め具５Ｃを掛け止めするだけで、機能シート４をガラス板３表面に沿って工具なしで簡易に取り付け可能となり、また取り外しも簡易にできるので、夏場の取り付け作業、冬場の取り外し作業がいずれも簡単に行なえるようになり、また、差込部７がパッキン材５Ｂに密着して抜けにくくなるため、取付金具５Ａが安定良く取り付けられる結果、機能シート４の取り付けの信頼性が高まり、長期間の使用、さらに強い雨風等にも十分に耐え得る構造となる。そのうえ戸枠２に嵌め込まれるガラス板３とパッキン材５Ｂとが機能シート４を取り付ける役割を兼用することになり、部材の合理化を図ることができる。
【００１１】
また、前記機能シート４を可撓性材料で形成するのが好ましく、この場合、ガラス板３から機能シート４を取り外した場合に、この機能シート４を小さく折り畳んで仕舞っておくことができ、収納性が良好となる。
【発明の効果】
【００１２】
本発明に係る引き違い戸は、外部との遮断機能及び採光機能しか持たないガラス板に、機能シートにより遮熱或いは遮視の機能を選択的に付加することができ、しかも、ガラス板の構造を従来のブラインドフィルム内蔵型ガラスよりも薄く且つ軽量化、低コスト化でき、そのうえ、機能シートが戸枠からはみ出すことがないため、引き違い戸に最適に使用できるものである。
【発明を実施するための最良の形態】
【００１３】
以下、本発明を添付図面に示す実施形態に基いて説明する。
【００１４】
本実施形態の引き違い戸は、図３に示すように、矩形状の戸枠２の内側にガラス板３を嵌合してなる左右一対の引戸１が造営物の壁面に設けた窓開口部に引き違い状態に設置されている。ここで、図３中の１２ａ，１２ｂは屋外側の引戸１の上端部１１ａ及び下端部１１ｂを往復移動自在に支持する屋外側の上下のガイドレール、１４ａ，１４ｂは屋内側の引戸１の上端部１３ａ及び下端部１３ｂを往復移動自在に支持する屋内側の上下のガイドレールであり、１５´は網戸、１６´は網戸レールである。
【００１５】
なお、戸枠２は、例えばアルミ押出し成形品からなる枠材を矩形状に枠組みして構成されており、その内周全周に亘ってガラス受溝６が凹設されている。
【００１６】
またガラス板３は本例ではペアガラス（複層ガラス）を用いているが、シングルガラスであってもよい。またガラス板３表面には透明或いは半透明の熱線反射用フィルムとか断熱フィルム等を貼着したものであってもよい。この種のガラス板仕様は、例えば特開２０００−５０４７号公報などにより公知となっている技術を採用することができるので、詳細な説明は省略する。
【００１７】
前記ガラス板３の屋外側の表面には、図１（ａ）に示すように、機能シート４が取り付け可能となっている。機能シート４は、戸枠２の外側にはみ出さず且つガラス板３表面にぴったりと嵌め込むことができる矩形状サイズに形成されており、遮熱又は遮視の少なくとも一方の機能を備えている。ここで、遮熱機能とは太陽熱エネルギーを反射する機能であり、透明或いは半透明のいずれでもよい。透明或いは半透明の場合においては、シート自体に様々な色彩或いは模様を施すことにより、ステンドガラス調等、様々なディスプレイ効果を得ることが可能となる。また、機能シート４が不透明の場合においては、遮視機能が付加され、カーテンのように目隠しをする効果が得られる。
【００１８】
さらに、前記機能シート４は、不使用時における収納性の観点から、可撓性を有する材料、例えば合成繊維、不織布等で形成するのが好ましいが、例えば合成樹脂製板等のような硬質材料で形成されてもよい。
【００１９】
前記機能シート４は、取付手段５を用いてガラス板３表面に着脱可能に取り付けられる。本例では、図１（ａ）に示すように、機能シート４の四辺部に、それぞれ、所定間隔をあけて複数（本例では各辺ごとに２個）の止め具５Ｃが取り付けられている。一方、ガラス板３の外周縁は、戸枠２のガラス受溝６内に嵌入されるパッキン材５Ｂに嵌合保持されている。パッキン材５Ｂは断面略Ω字状に形成され、内面側に左右一対の奥側舌片１５と左右一対の入口側舌片１６とが突設されている。パッキン材５Ｂは例えば半硬質の樹脂材で形成されている。
【００２０】
前記パッキン材５Ｂとガラス板３表面との間隙Ｇには取付金具５Ａが取り付け可能とされる。この取付金具５Ａは、図１（ｂ）に示すように略Ｚ字型に形成され、一端側にガラス板３とパッキン材５Ｂとの間隙Ｇに抜き差し可能に差し込まれる平板状の差込部７が設けられ、中央側には該差込部７からＬ形に立ち上がる立上部８が設けられ、他端側には立上部８の先端から差込部７と平行に且つ差込部７から遠ざかる方向に平板状の引掛部９が延設されている。引掛部９には機能シート４の止め具５Ｃが掛け止めされる引掛孔１０が穿設されている。
【００２１】
しかして、図２に示すように、ガラス板３とパッキン材５Ｂとの間隙Ｇに取付金具５Ａの差込部７を差し込んだ状態で、ガラス板３表面側に突出した引掛部９の引掛孔１０に機能シート４の止め具５Ｃを掛け止めすることにより、機能シート４をガラス板３側に取り付けることができる。これにより、単に外部との遮断及び採光の機能しか持たないガラス板３に、遮熱或いは遮視の機能を選択的に付加できるようになる。ここにおいて、例えば遮熱機能を有する機能シート４を取り付けることで、夏場には室内への太陽熱の入射を阻止でき、冷房負荷を軽減できるようになり、さらにこの機能シート４に遮視機能を付加すれば、カーテン効果も同時に得られるようになる。一方、冬場には機能シート４を撤去することで、太陽熱を室内に十分に採り込んで暖房負荷を軽減できるようになる。なお、冬場には、遮視機能のみを有する機能シートに交換することも可能である。
【００２２】
また本例ではガラス板３表面に取付金具５Ａを介して機能シート４を取着する構造であるため、従来のブラインドフィルム内蔵型ガラスよりも簡易な構造となり、しかも薄く且つ軽量化を図ることができる。
【００２３】
また本例の取付金具５Ａは、工具なしで着脱が簡単にできるものであり、しかも略Ｚ字型に形成しているので、図２のように機能シート４の止め具５Ｃを引掛ける引掛部９がガラス板３表面から離れた位置に配置されるようになり、機能シート４の掛け止め作業が容易となる。しかも取付金具５Ａの差込部７はガラス板３表面に密着できるように薄肉平板状に形成されているため、ガラス板３側に対して取付金具５Ａが安定良く且つガラス板３表面を傷付けることなく取り付け可能となり、またガラス板３とパッキン材５Ｂとを利用して取付金具５Ａを取り付けることができるので、取付金具５Ａを取り付けるための専用の部品を用いる必要がなく、部材の合理化を図ることができる。さらに機能シート４は、戸枠２の内側にぴったりと嵌め込むことができる矩形状サイズに形成されているため、ガラス板３の外周部からの光漏れを防ぐことができる利点があり、そのうえ、取付金具５Ａの引掛部９をガラス板３表面から離して配置することで、機能シート４とガラス板３表面との間に若干の通気流路が確保されることとなり、機能シート４とガラス板３表面との間での結露を防止する利点もある。
【００２４】
また機能シート４は戸枠２の厚み寸法範囲Ｓ内に納められるので、機能シート４が戸枠２からはみ出すことがないため、引戸１の開閉操作に支障をきたすこともない。ちなみに、機能シート４を吸盤や磁石等の吸着具を用いてガラス板３表面に取着することも可能であるが、この場合、機能シート４を戸枠２の厚み寸法範囲Ｓ内に納めることが困難であるため、上記構成の略Ｚ字形の取付金具５Ａを用いて取り付けるのが好ましい。
【００２５】
さらに前記取付金具５Ａを略Ｚ字型にすることで、取付金具５Ａの引掛部９が間隙Ｇから引き抜かれにくい構造となる。つまり、図２のように立上部８によって差込部７と引掛部９とが段違いに位置しているため、止め具５Ｃが引掛部９を引っ張る力（図２の下向きの力）は、立上部８の下端を支点として差込部７がパッキン材５Ｂに押し付ける方向に付勢する回転力（図２の左向きの力）となり、取付金具５Ａを故意に間隙Ｇから引き抜かない限り、取付金具５Ａは容易に外れることがない。しかも図１（ａ）のように機能シート４の四辺部をそれぞれ複数の取付金具５Ａに取り付けているので、機能シート４をテンション張り状態でがたつきなく取り付け可能となり、これにより、機能シート４の取り付けの信頼性が高められ、長期間の使用、さらに強い雨風等にも十分に耐えることができる利点もある。
【００２６】
また、機能シート４を可撓性材料で形成した場合は、ガラス板３から取り外した機能シート４を小さく折り畳んで仕舞っておくことができ、収納性が良好になる利点もある。
【００２７】
なお、前記機能シート４は、ガラス板３の屋外側の面ではなく、屋内側の面に取り付けてもよいものである。
【００２８】
また、本発明の機能シート４を装着した引き違い戸は、特に温度差の激しい季節や地域等に有効であるうえに、一般住宅をはじめ、学校、病院、オフィスビル等の窓に広く適用可能である。
【図面の簡単な説明】
【００２９】
【図１】本発明の一実施形態であり、（ａ）は引戸と機能シートの分解斜視図、（ｂ）は取付金具の斜視図である。
【図２】同上の機能シートを取付手段を用いてガラス板表面に取り付けた状態を説明する断面図である。
【図３】同上の引戸が引き違い状に設置された引き違い戸の一例を説明する側面断面図である。
【符号の説明】
【００３０】
１  引戸
２  戸枠
３  ガラス板
４  機能シート
５  取付手段
５Ａ  取付金具
５Ｂ  パッキン材
５Ｃ  止め具
６  ガラス受溝
７  差込部
９  引掛部
Ｓ  戸枠の厚み寸法範囲
Ｇ  間隙
【図１】
2007056634.tif 000003
【図２】
2007056634.tif 000004
【図３】
2007056634.tif 000005